(57)【要約】【課題】  基板ボックスが不正に開封された場合には、目視では確認できない痕跡が残るパチンコ機などを提供する。【解決手段】  ボックス本体５１およびカバー体５２によりＲＯＭが実装された回路基板７０を収納する基板ボックス５０を備えたパチンコ機１において、カバー体５２の端部に設けられた、貫通孔５５ａを有する第１の封止部５２ａと、ボックス本体５１の端部に設けられた、第１の封止部５２ａが有する貫通孔５５ａに連なる貫通孔５６ａを有する第２の封止部５１ａと、貫通孔５５ａから貫通孔５６ａに向けて挿入され、ボックス本体５１とカバー体５２とを締結するワンウェイネジ１２０と、貫通孔５５ａに取り外し不能に挿入された封止用のキャップ１４０と、を備え、キャップ１４０は、磁気共鳴物質の粉末を含有している、ことを特徴とする。【選択図】図４
2008110006.tif 000002
【特許請求の範囲】
【請求項１】
遊技に関するプログラムが記憶されたＲＯＭと、前記ＲＯＭが実装された回路基板と、ボックス本体とカバー体を有し、該ボックス本体および該カバー体により前記回路基板を収納する基板ボックスと、を備えた遊技機において、
前記ボックス本体および前記カバー体の一方の端部に設けられた、貫通孔を有する第１の封止部と、
前記ボックス本体および前記カバー体の他方の端部に設けられた、前記第１の封止部が有する貫通孔に連なる穴を有する第２の封止部と、
前記第１の封止部が有する貫通孔から前記第２の封止部が有する穴に向けて挿入され、前記ボックス本体と前記カバー体とを締結する締結具と、
前記貫通孔に取り外し不能に挿入された封止用の蓋体と、
を備え、
前記蓋体は、磁気共鳴物質の粉末を含有している、
ことを特徴とする遊技機。
【発明の詳細な説明】
【技術分野】
【０００１】
本発明は、パチンコ機、スロットマシン、アレンジボール機、雀球機などの遊技機に関し、特に、回路基板を収容する基板ボックスを備えた遊技機に関する。
【背景技術】
【０００２】
遊技機においては、ＲＯＭを実装された回路基板が基板ボックスに収納されている。遊技機における遊技は、このＲＯＭに記憶されているプログラムによって制御されているため、基板ボックスが不正に開封されて、ＲＯＭが偽造されたＲＯＭに取り換えられてしまうと、特定の遊技者が遊技をした場合にのみ遊技が有利に進行するという遊技の制御が可能とされてしまう。このため、従来の遊技機では、ＲＯＭの不正な交換を発見できるように、基板ボックスが、開封された場合に痕跡が残るように封止されていた（特許文献１参照）。
【特許文献１】特開２００１−３０００９１
【発明の開示】
【発明が解決しようとする課題】
【０００３】
しかしながら、最近は、開封の痕跡が目視では分からないように基板ボックスが開封され、ＲＯＭが取り換えられるという不正が増加している。
【０００４】
そこで、本発明は、上記事情に鑑み、基板ボックスが不正に開封された場合には、目視では確認できない痕跡が残る遊技機を提供することを目的とする。
【課題を解決するための手段】
【０００５】
上記課題を解決して上記目的を達成するために、本発明は、遊技に関するプログラムが記憶されたＲＯＭと、ＲＯＭが実装された回路基板と、ボックス本体とカバー体を有し、該ボックス本体および該カバー体により回路基板を収納する基板ボックスと、を備えた遊技機において、ボックス本体およびカバー体の一方の端部に設けられた、貫通孔を有する第１の封止部と、ボックス本体およびカバー体の他方の端部に設けられた、第１の封止部が有する貫通孔に連なる穴を有する第２の封止部と、第１の封止部が有する貫通孔から第２の封止部が有する穴に向けて挿入され、ボックス本体とカバー体とを締結する締結具と、第１の封止部が有する貫通孔に取り外し不能に挿入された封止用の蓋体と、を備え、蓋体は、磁気共鳴物質の粉末を含有している、ことを特徴とする。
本発明において、基板ボックスを開封してＲＯＭを交換するためには、蓋体を、第１の封止部が有する貫通孔から取り外さなければならないが、この取り外しに際しては、蓋体に、破壊の痕または傷などの目視で確認できる痕跡が残る。したがって、基板ボックスを再封止する際に、開封の痕跡が目視では分からないようにするためには、取り外した蓋体と同一形状の新たな蓋体を使用せざるを得ないが、新たな蓋体には磁気共鳴物質の粉末が含まれていない。したがって、この新たな蓋体からは、これに電磁波照射検出器から電磁波を照射しても、磁気共鳴現象を検出することができない。したがって、この新たな蓋体には、目視では確認できない痕跡が残る。よって、本発明によれば、磁気共鳴現象を利用して、基板ボックスの不正な開封を検知することができる。
なお、第２の封止部が有する「穴」には、第２の封止部を貫通するもののほか、第２の封止部を貫通しないものも含まれる。
【発明の効果】
【０００６】
本発明によれば、基板ボックスが不正に開封された場合には、磁気共鳴物質が存在しないという目視では確認できない痕跡が基板ボックスに残るので、磁気共鳴物質の磁気共鳴現象を利用して、不正な開封を検知できる。
【発明を実施するための最良の形態】
【０００７】
以下、本発明の実施の形態に係るパチンコ機について説明する。パチンコ機は、本発明に係る遊技機の一例である。
【０００８】
まず、図１、図２を参照して、実施形態に係るパチンコ機の概略構成について説明する。図１は、パチンコ機を示す正面図、図２は、本体枠及び前面枠を開放した状態のパチンコ機を示す斜視図である。
【０００９】
図１、図２に示すように、パチンコ機１は、外枠２、本体枠３、遊技盤４、前面枠５などを備えて構成されている。外枠２は、上下左右の枠材によって縦長四角形の枠状に形成され、外枠２の前側下部には、本体枠３の下面を受ける下受板６を有している。外枠２の前面一側には、本体枠３が、ヒンジ機構７によって前方へ開閉可能に装着されている。
【００１０】
本体枠３は、前枠体８、遊技盤装着部９、および機構装着枠１０を合成樹脂材によって一体成形することで構成されている。本体枠３の前側に形成された前枠体８は、外枠２前側の下受板６を除く外郭形状に対応する大きさの矩形枠状に形成されている。なお、本実施形態では、パチンコ機１の正面を視認する視線方向を前側（前面側）とし、これとは反対側（たとえば、前枠体８に対する本体枠３側）を後側（背面側）とする。
【００１１】
遊技盤装着枠９は、本体枠３の前面側に形成され、機構装着枠１０は、本体枠３の背面側に形成されており、合成樹脂製の本体枠３は、従来の前枠（内枠、前面枠などと呼ばれることがある）と、機構板（裏機構板、裏セット板などと呼ばれることがある）との機能を兼ね備えている。
【００１２】
遊技盤装着枠９には、遊技盤４が前方から着脱交換可能に装着されるようになっている。
遊技盤４の盤面には、外レールと内レールとを備えた案内レール１１が設けられている。この案内レール１１の内側に遊技領域１２が区画形成されている。遊技領域１２内には、遊技に関する役物装置、たとえば、センター役物と呼ばれる役物装置４０、図柄表示装置（例えば、液晶表示器、ＥＬ表示器、プラズマ表示器、ＣＲＴ等）４１、電動始動入賞口４２、大入賞口装置４３、アウト口４４などの各種構成部材が配置されている。
【００１３】
遊技盤装着部９よりも下方に位置する前枠体８の前側下部の一側寄りには、下部スピーカ１４が装着板１３によって装着されている。また、前枠体８前面の下部領域内の上側部分には、遊技盤４の発射通路に向けて遊技球を導く発射レール１５が傾斜状に装着されている。一方、前枠体８前面の下部領域内の下側部分には、下前面部材１６が装着されている。下前面部材１６前面のほぼ中央には、下皿１７が設けられ、片側寄りには操作ハンドル１８が設けられている。
【００１４】
本体枠３（前枠体８）のヒンジ機構７が設けられる側とは反対側となる開放側の後面には、外枠２に対して本体枠３を施錠する機能と、本体枠３に対して前面枠５を施錠する機能とを兼ね備えた施錠装置１９が装着されている。施錠装置１９は、外枠２に設けられた閉止具２０に係脱可能に係合して本体枠３を閉鎖状態に施錠する上下複数の本体枠施錠フック２１と、前面枠５の開放側の後面に設けられた閉止具２２に係脱可能に係合して前面枠５を閉鎖状態に施錠する上下複数の扉施錠フック２３とを備えている。
【００１５】
前枠体８の前側下部には、下部スピーカ１４とは反対側に、シリンダー錠２４が設けられている。このシリンダー錠２４の鍵穴に鍵が挿入されて一方向に回動操作されることで、本体枠施錠フック２１と外枠２の閉止具２０との係合が解除されて本体枠３が解錠され、これとは逆方向に鍵が回動操作されることで、扉施錠フック２３と前面枠５の閉止具２２との係合が解除されて前面枠５が解錠されるようになっている。なお、シリンダー錠２４の前端部は、パチンコ機１の前方から鍵を挿入して解錠操作が行えるように、前枠体８および下前面部材１６を貫通して下前面部材１６の前面に露出して配置されている。
【００１６】
本体枠３前面の一側には、前面枠５が、ヒンジ機構２５によって前方へ開閉可能に装着されている。前面枠５は、扉本体フレーム２６、上皿２８を備えて構成されている。扉本体フレーム２６は、プレス加工された金属製フレーム部材によって構成され、前枠体８の上端から下前面部材１６の上縁に亘る部分を覆う大きさに形成されている。扉本体フレーム２６のほぼ中央には、遊技盤４の遊技領域１２を前方から透視可能なほぼ円形状の開口窓３０が形成されている。また、扉本体フレーム２６の後側には、開口窓３０よりも大きい矩形枠状をなす窓枠３１が設けられ、この窓枠３１には、透明板３２が装着されている。扉本体フレーム２６の前側には、開口窓３０の周囲において、下部に上皿２８が前面枠８と一体的に設けられ、左右両側部に枠ランプ２７が、上部に上部スピーカ２９が装着されている。
【００１７】
次に、図３を参照して、パチンコ機の背面構成について説明する。図３は、パチンコ機の背面図である。
【００１８】
図３に示すように、パチンコ機１の背面上側には、遊技島に設置される球揚送装置から供給される遊技球を貯留する球タンク３３と、球タンク３３と払出装置３４とを接続し、球タンク３３に貯留される遊技球を流下せしめるタンクレール３５と、が配置されている。なお、タンクレール３５によって球タンク３３と接続される払出装置３４は、ユニット状に形成され、タンクレール３５からの遊技球を受け入れて遊技球の払い出しを指示する信号に基づいて所定個数の遊技球を払い出す。
【００１９】
タンクレール３５の下方には、遊技盤４の背面に取り付けられた各種の装置がタンクレール３５から落下した球によって損傷するのを防止すると共に、各装置への不正行為を防止するべく、遊技盤４の背面に取り付けられた各種の装置を覆う保護カバー３６が設けられている。
【００２０】
保護カバー３６の下方には、遊技全体を制御する主回路基板７０が収容された主制御基板ボックス５０が配置されている。この主制御基板ボックス５０は、後述するように、ボックス本体５１とカバー体５２とを有しており、このボックス本体５１とカバー体５２とによって、主回路基板７０を収納している（後述する図５参照）。主回路基板７０には、ＣＰＵやＲＡＭやＲＯＭなどの電子部品が実装されている。ＲＯＭには、遊技に関するプログラムが記憶されており、このプログラムがＣＰＵによって実行されることにより、パチンコ機１における遊技が制御される。
【００２１】
パチンコ機１の裏面下側一側には、発射装置３７が取り付けられている。この発射装置３７は、発射レール１５に送られた球を発射する発射ハンマーと、発射ハンマーに往復回動動作を付与する発射モータなどを集約して設けることにより構成され、操作ハンドル１８と関連付けられている。
【００２２】
発射装置３６の右側方には、払出装置制御用の払出制御基板が収容された払出制御基板ボックス６０が設けられている。払出制御基板ボックス６０は、主制御基板ボックス５０に収容された主回路基板からの遊技球の払い出しを指示する払出コマンドを受信したことに基づいて払出装置３４を駆動制御する。
【００２３】
なお、主制御基板ボックス５０、および払出制御基板ボックス６０は、本発明における「基板ボックス」の一例として示したものである。
【００２４】
次に、図４を参照しつつ、主制御基板ボックス５０を例に挙げて、基板ボックスの概略構成について説明する。図４は本発明の一実施形態における基板ボックスの斜視図である。
【００２５】
図４に示すように、主制御基板ボックス５０（以下、「基板ボックス５０」と略す。）は、ボックス本体５１と、このボックス本体５１に組み合わされるカバー体５２とを有している。
【００２６】
基板ボックス５０の端部には、ボックス本体５１とカバー体５２とを貫通（すなわち、基板ボックス５０を貫通）する８つの貫通孔５３ａ〜５３ｈが形成されている。これら８つの貫通孔５３ａ〜５３ｈは、基板ボックス５０を封止する際に使用されるが、基板ボックス５０を一度封止しても３度までは開封・封止を繰り返すことが可能なように、貫通孔５３ａと貫通孔５３ｅとの組、貫通孔５３ｂと貫通孔５３ｆとの組、貫通孔５３ｃと貫通孔５３ｇとの組、貫通孔５３ｄと貫通孔５４ｈとの組の順に２つずつ使用される。なお、使用する順番を分かりやすくするために、８つの貫通孔５３ａ〜５３ｈの開口近傍におけるカバー体５２上の部位には、１〜４の番号が記されている。このように、基板ボックス５０は、検査のために開封された場合においても、再封止して再び利用することができる。
【００２７】
８つの貫通孔５３ａ〜５３ｈには、後述するカシメ部材１１０〜１１７がそれぞれ配置されている。これら８つの貫通孔５３ａ〜５３ｈに配置されたカシメ部材１１０〜１１７のいずれか１つに、後述する締結具の一例であるワンウェイネジが挿入されると、ボックス本体５１とカバー体５２とが締結される。本実施の形態では、カシメ部材１１０、１１４がそれぞれ配置された貫通孔５３ａ、５３ｅにワンウェイネジ１２０、１２４がそれぞれ挿入されることにより、ボックス本体５１とカバー体５２とが締結されている。
【００２８】
ワンウェイネジ１２０、１２４がそれぞれ挿入された貫通孔５３ａ、５３ｅには、後述する蓋体の一例であるキャップ１４０、１４４が取り外し不能にそれぞれ挿入されている。これにより、ワンウェイネジ１２０、１２４は、貫通孔５３ａ、５３ｅから取り出すことができない。
【００２９】
ワンウェイネジ１２０、１２４を貫通孔５３ａ、５３ｅから取り外して基板ボックス５０を開封するためには、キャップ１４０、１４４を貫通孔５３ａ、５３ｅから取り外さなければならないが、キャップ１４０、１４４は、貫通孔５３ａ、５３ｅに取り外し不能に挿入されている。このため、キャップ１４０、１４４は、破壊しなければ、これらを貫通孔５３ａ、５３ｅから取り外すことができない。したがって、ワンウェイネジ１２０、１２４を貫通孔５３ａ、５３ｅから取り外して基板ボックス５０を開封すると、キャップ１４０、１４４の破壊という目視で確認できる痕跡が基板ボックス５０に残る。このようにして、基板ボックス５０は、キャップ１４０、１４４によって封止される。
【００３０】
キャップ１４０〜１４７は、同じ種類の磁気共鳴物質の粉末を含有する合成樹脂成形品から構成されている。したがって、キャップ１４０、１４４およびワンウェイネジ１２０、１２４を貫通孔５３ａ、５３ｅから取り外して基板ボックス５０を開封し、この開封の痕跡が残らないように、破壊の痕や傷などの痕跡が残っていない新たなキャップを用いて基板ボックス５０を再封止する不正が行われた場合には、再封止に用いられた新たなキャップからは、これに磁気共鳴物質の粉末が含まれていないので、プローブタイプなどの電磁波照射検出器から電磁波を照射しても、磁気共鳴現象を検出することができない。よって、この場合、新たなキャップには、目視では確認できない痕跡が残る。
【００３１】
ここで、磁気共鳴物質とは、物質ごとに固有の周波数を持ち、この固有の周波数を有する電磁波が照射された場合にのみ、磁気共鳴現象（照射された固有の周波数を有する電磁波を吸収・放出する現象）を示す物質である。物質ごとに固有の周波数を有しているので、ある磁気共鳴物質は、該磁気共鳴物質が持つ固有の周波数を有する電磁波を照射された場合には、該照射された電磁波を吸収・放出する磁気共鳴現象を示すが、該固有の周波数以外の周波数を有する電磁波を照射されても、該照射された電磁波を吸収・放出する磁気共鳴現象が示さない。
【００３２】
次に、引き続き図４を参照しつつ、貫通孔５３ａ、５３ｅを用いて封止されている基板ボックス５０を例に挙げて、基板ボックス５０を開封・再封止する方法について説明する。
基板ボックス５０を開封する際には、まず、カバー体５２に形成されている三角形状の突起５４ａ、５４ｄがニッパーなどの工具で切除される。この三角形状の突起５４ａ、５４ｄが切除されると、カバー体５２に開口が形成される。つぎに、この開口にニッパーなどの工具が挿入され、切断線ＣＬ１、ＣＬ２、ＣＬ３、ＣＬ４に沿ってカバー体５２が切断される。これにより、ボックス本体５１とカバー体５２とが分離可能とされる。なお、カシメ部材１１０、１１４、ワンウェイネジ１２０、１２４、およびキャップ１４０、１４４は、貫通孔５３ａ、５３ｅに取り付けられた状態で維持される。
【００３３】
上記のようにして基板ボックス５０が開封されると、カシメ部材１１０、１１４とワンウェイネジ１２０、１２４とを取り付けられたカバー体５２の部位が、カバー体５２における他の部位から分離されるので、この分離された部位を用いて、カバー体５２における他の部位とボックス本体５１とを締結することはできない。そこで、開封された基板ボックス５０を再封止する場合には、カシメ部材１１１、１１５が配置されている貫通孔５３ｂ、５３ｆにワンウェイネジ１２１、１２５をねじ込み、ボックス本体５１とカバー体５２とを締結する。そして、ワンウェイネジ１２１、１２５が挿入された貫通孔５３ｂ、５３ｆにキャップ１４１、１４５を挿入し、基板ボックス５０を封止する。
【００３４】
次に、図５を参照しつつ、基板ボックス５０の端部に形成された８つの貫通孔５３ａ〜５３ｈについて説明する。図５は、本発明の一実施形態における基板ボックスの分解斜視図である。
【００３５】
図５に示すように、基板ボックス５０の端部に形成された８つの貫通孔５３ａ〜５３ｈは、ボックス本体５１の端部に形成されたボックス本体５１を貫通する８つの孔５６ａ〜５６ｈと、カバー体５１の端部に形成されたカバー体５２を貫通する８つの孔５５ａ〜５５ｈとによって形成される。すなわち、ボックス本体５１とカバー体５２とが組み合わされた場合に、ボックス本体５１を貫通する８つの孔５６ａ〜５６ｈと、カバー体５２を貫通する８つの孔５５ａ〜５５ｈとが、それぞれ連なり、ボックス本体５１とカバー体５２とを貫通（つまり、基板ボックス５０を貫通）する８つの貫通孔５３ａ〜５３ｈが基板ボックス５０の端部に形成される。
【００３６】
本実施の形態では、カバー体５２を貫通する孔５５ａ〜５５ｄおよび孔５５ｅ〜５５ｈが形成されているカバー体５２の部位を、それぞれ、第１の封止部５２ａおよび第１の封止部５２ｂと称する。また、ボックス本体５１を貫通する孔５６ａ〜５６ｄおよび孔５６ｅ〜５６ｈが形成されているボックス本体５１の部位を、それぞれ、第２の封止部５１ａおよび第２の封止部５１ｂと称する。
【００３７】
なお、貫通孔５３ａ、５３ｅを用いて基板ボックス５０を封止する場合には、カシメ部材１１０、１１４が使用され、残りのカシメ部材１１１〜１１３、１１５〜１１７は使用されないが、これら残りのカシメ部材１１１〜１１３、１１５〜１１７は、あらかじめ貫通孔５３ｂ〜５３ｄ、５３ｆ〜５３ｈにそれぞれ配置されている。
【００３８】
また、貫通孔５３ａ、５３ｅを用いて基板ボックス５０を封止する場合には、ワンウェイネジ１２０、１２４が使用され、残りのワンウェイネジ１２１〜１２３、１２５〜１２７は使用されない。これら残りのワンウェイネジ１２１〜１２３、１２５〜１２７は、これらの先端が、カシメ部材１１１〜１１３、１１５〜１１７が配置されている貫通孔５３ｂ〜５３ｄ、５３ｆ〜５３ｈに挿入されているが、ねじ込みは、保留されている。
【００３９】
また、貫通孔５３ａ、５３ｅを用いて基板ボックス５０を封止する場合には、キャップ１４０、１４４が使用され、残りのキャップ１４１〜１４３、１４５〜１４７は使用されない。これら残りのキャップ１４１〜１４３、１４５〜１４７は、貫通孔５３ｂ〜５３ｄ、５３ｆ〜５３ｈに挿入されることなく、図５に示すように、カバー体５２の三角形状の突起５４ａ〜５４ｆの下に形成される空間に配置される。
【００４０】
つぎに、図６、図７を参照しつつ、貫通孔５３ａを例に挙げて、ボックス本体５１とカバー体５２とが締結される構造を説明する。なお、貫通孔５３ｂ〜５３ｈを用いてボックス本体５１とカバー体５２とが締結される場合も、貫通孔５３ａを用いてボックス本体５１とカバー体５２とが締結される場合と同様であるので、説明は省略する。図６は、図４におけるＡ−Ａの締結前の断面図であり、図７は、図４におけるＡ−Ａの締結後の断面図である。
【００４１】
第２の封止部５１ａが有する孔５６ａは、第２の封止部５１ａを貫通しており、また、その断面が円形状とされている。この孔５６ａは、段付き穴形状（本実施形態では３段）に形成されており、その内径が、ワンウェイネジ１２０の挿入方向において奥に行くほど大きくなる。
【００４２】
第１の封止部５２ａが有する孔５５ａは、第１の封止部５２ａを貫通しており、また、その断面が角形状とされている。孔５５ａの内壁には、キャップ１４０を係止するための係止溝５７が形成されている。
【００４３】
ボックス本体５１とカバー体５２とが組み合わされると、第２の封止部５１ａが有する孔５６ａと第１の封止部５２ａが有する孔５５ａとが連なり、１つの貫通孔５３ａが形成される。この貫通孔５３ａに、カシメ部材１１０が、第１の封止部５２ａが有する孔５５ａから第２の封止部５１ａが有する孔５６ａに向けて挿入される。ワンウェイネジ１２０は、第１の封止部５２ａが有する孔５５ａから第２の封止部５１ａが有する孔５６ａに向けて挿入され、カシメ部材１１０を変形させる。これにより、ボックス本体５１とカバー体５２とが締結される。
このようにしてボックス本体５１とカバー体５２とが締結された後、さらに、第１の封止部５２ａが有する孔５５ａに、キャップ１４０が取り外し挿入される。これにより、第１の封止部５２ａが有する孔５５ａからワンウェイネジ１２０を取り出せなくなる。なお、ワンウェイネジ１２０を第１の封止部５２ａが有する孔５５ａから取り外して基板ボックス５０を開封するためには、キャップ１４０を第１の封止部５２ａが有する孔５５ａから取り外さなければならないが、キャップ１４０は、第１の封止部５２ａが有する孔５５ａに取り外し不能に挿入されている。このため、キャップ１４０は、破壊しなければ、これを第１の封止部５２ａが有する孔５５ａから取り外すことができない。したがって、ワンウェイネジ１２０を第１の封止部５２ａが有する孔５５ａから取り外して基板ボックス５０を開封すると、キャップ１４０の破壊という目視で確認できる痕跡が基板ボックス５０に残る。このようにして、基板ボックス５０は、キャップ１４０によって封止される。
【００４４】
［カシメ部材１１０］
次に、カシメ部材１１０について詳細に説明する。
カシメ部材１１０は、筒部１１０ａとフランジ部１１０ｂとを具備する筒状の金属製部材である。カシメ部材１１０の筒部１１０ａには、スリット１１０ｃ（たとえば４分割）が形成されている。また、カシメ部材１１０の筒部１１０ａは、その内壁が先細のテーパ状とされており、先端にいくほど内径が小さくなる。このため、カシメ部材１１０の筒部１１０ａは、これにワンウェイネジ１２０がねじ込まれると、スリット１１０ｃから切り割れて、径方向に拡開するものとなっている。
フランジ部１１０ｂの形状は、断面が角形状である第１の封止部５２ａが有する孔５５ａに対応して角形状とされており、これにより、カシメ部材１１０は、孔５５ａにおいてまわり止めされる。
このカシメ部材１１０は、そのフランジ部１１０ｂが、第１の封止部５２ａが有する孔５５ａの最も奥に形成された底面５８に突き当たるまで、孔５５ａに押し込まれる。このとき、カシメ部材１１０の筒部１１０ａは、底面５８を超えて、第２の封止部５１ａが有する孔５６ａの内部にまで挿入される。
【００４５】
［ワンウェイネジ１２０］
次に、ワンウェイネジ１２０について詳細に説明する。
ワンウェイネジ１２０は、ねじ込み方向にしか回転させることができない金属製のネジである。このワンウェイネジ１２０が、カシメ部材１１０に挿入されて、筒部１１０ａがスリット１１０ｃから切り割れ拡開されると、筒部１１０ａの外面が、第２の封止部５１ａが有する孔５６ａの段付き部分の内壁に当接する。これにより、切り割れて拡開している筒部１１０ａが、第２の封止部５１ａが有する孔５６ａの段付き部分の内壁に引っ掛かり、カシメ部材１１０は、これをボックス本体５１側からカバー体５２側に向けて取り外すことができなくなる。なお、カシメ部材１１０は、カシメ部材１１０のフランジ部１１０ｂが第１の封止部５２ａの孔５５ａの最も奥に形成された底面５８に引っ掛かっているので、これをカバー体５２側からボックス本体側５１に向けて取り外すことができない。
【００４６】
ワンウェイネジ１２０は、上記のように、ねじ込み方向にしか回転させることができないネジであるため、これをボックス本体５１側からカバー体５２側に向けて取り外すことはできない。このため、ワンウェイネジ１２０は、カシメ部材１１０の筒部１１０ａに挿入されたままとなる。したがって、カシメ部材１１０の筒部１１０ａは、スリット１１０ｃから切り割れて拡開した状態で維持される。これにより、切り割れて拡開している筒部１１０ａが、第２の封止部５１ａが有する孔５６ａの段付き部分の内壁に引っ掛かったままとなり、ボックス本体５１とカバー体５２は、締結されて分離させることができなくなる。
【００４７】
［キャップ１４０］
つぎに、キャップ１４０について詳細に説明する。
キャップ１４０は、上述したように同じ種類の磁気共鳴物質の粉末を含有する合成樹脂成形品から構成され、本体部分１４０ａと、この本体部分１４０ａにおける一組の対辺に形成された一対の係止爪１４０ｂとを具備している。キャップ１４０の本体部分１４０ａは、第１の封止部５２ａが有する孔５５ａの形状に対応して、断面が角型の形状をしており、その一辺の長さが、孔５５ａの内径Ｈよりも僅かに小さい。
【００４８】
一対の係止爪１４０ｂは、先端にいくに従って拡開されている。また、一対の係止爪１４０ｂにおける一方の先端と他方の先端との間隔Ｄは、第１の封止部５２ａが有する孔５５ａの内径Ｈよりも僅かに大きく設定されている（Ｄ＞Ｈ）。このため、この一対の係止爪１４０ｂは、第１の封止部５２ａが有する孔５５ａに本体部分１４０ａが挿入されると、孔５５ａの内壁によって、互いに近接する方向（幅Ｄを狭める方向）に僅かに弾性変形する。
【００４９】
一対の係止爪１４０ｂは、第１の封止部５２ａの孔５５ａに形成された係止溝５７に達すると、弾性変形前の状態、すなわち、孔５５ａに挿入される前の状態に戻り、係止溝５７に係合される。これにより、キャップ１４０は、第１の封止部５２ａが有する孔５５ａに係止され、孔５５ａから取り外すことができなくなる。第１の封止部５２ａが有する孔５５ａは、キャップ１４０の本体部分１４０ａによって封鎖されるため、ワンウェイネジ１２０は、キャップ１４０が破壊されて孔５５ａから取り外されない限り、第１の封止部５２ａが有する孔５５ａから取り外すことができない。したがって、このキャップ１４０およびワンウェイネジ１２０を第１の封止部５２ａが有する孔５５ａから取り外して基板ボックス５０を開封し、これをＲＯＭの交換後に再封止する場合において、開封の痕跡が残らないようにするためには、破壊されたキャップ１４０と同一形状の新たなキャップを使用せざるを得ない。
【００５０】
以上説明した本実施の形態に係るパチンコ機１においては、基板ボックス５０を開封してＲＯＭを交換するためには、キャップ１４０を、第１の封止部５２ａが有する孔５５ａから取り外さなければならないが、この取り外しに際しては、キャップ１４０に、破壊の痕または傷などの目視で確認できる痕跡が残る。したがって、基板ボックス５０を再封止する際に、開封の痕跡が目視では分からないようにするためには、取り外したキャップ１４０と同一形状の新たなキャップを使用せざるを得ないが、新たなキャップには磁気共鳴物質の粉末が含まれていない。したがって、この新たなキャップからは、これに電磁波照射検出器から電磁波を照射しても、磁気共鳴現象を検出することができない。したがって、この新たなキャップには、目視では確認できない痕跡が残る。よって、本実施の形態に係るパチンコ機１によれば、磁気共鳴現象を利用して、基板ボックス５０の不正な開封を検知することができる。
【００５１】
なお、キャップ１４０〜１４７は、これらを磁気共鳴物質の粉末が混練された合成樹脂材を成形して構成すれば、キャップ１４０〜１４７において、磁気共鳴物質の粉末が均一に存在することとなり、キャップ１４０〜１４７のどの部分に電磁波を照射しても、磁気共鳴現象を検出することができる。
【００５２】
なお、本実施の形態では、キャップ１４０〜１４７が同じ種類の磁気共鳴物質の粉末を含有する合成樹脂成形品から構成されていることとしたが、これに限らず、キャップ１４０〜１４７は、それぞれ異なる種類の磁気共鳴物質の粉末を含有する合成樹脂成形品から構成してもよい。たとえば、キャップ１４０とキャップ１４４との組、キャップ１４１とキャップ１４５との組、キャップ１４２とキャップ１４６との組、キャップ１４３とキャップ１４７との組の順に、含有されている磁気共鳴物質の固有の周波数が大きく（または小さく）なるようにしてもよい。このようにすれば、たとえば、キャップ１４０およびワンウェイネジ１２０が第１の封止部５２ａが有する孔５５ａから取り外されて基板ボックス５０が開封され、この開封された基板ボックス５０がＲＯＭの交換後に再封止される場合において、キャップ１４１〜１４３および１４５〜１４７のいずれか１つが、破壊の痕や傷などの痕跡が残るキャップ１４０に代えて第１の封止部５２ａが有する孔５５ａに挿入されたとしても、この挿入されたキャップからは、キャップ１４０から検出されるはずの磁気共鳴現象が検出されない。したがって、この第１の封止部５２ａが有する孔５５ａに挿入されたキャップには、目視では確認できない痕跡が残るため、磁気共鳴現象を利用して、基板ボックス５０の開封を検知することができる。
【００５３】
また、キャップ１４０〜１４７が含有する磁気共鳴物質を、遊技機の機種や製造番号や工場からの出荷の時期などの別に従って、固有の周波数を異にする物質としてもよい。すなわち、遊技機の機種や製造番号や工場からの出荷の時期が異なれば、キャップ１４０〜１４７が含有する磁気共鳴物質の種類が異なることとしてもよい。
【００５４】
このようにすれば、すでに廃棄されている遊技機から採取された磁気共鳴物質の粉末を含有するキャップ１４０〜１４７を基板ボックス５０に用いた場合でも、遊技機の機種や製造番号や工場からの出荷の時期などの別に従って、磁気共鳴物質の固有の周波数を異にしているので、店舗で使用している遊技機に用いられているキャップ１４０〜１４７の固有の周波数とすでに廃棄されている遊技機に用いられているキャップ１４０〜１４７とでは固有の周波数を異にさせることができ、基板ボックス５０を再封止するに際して、そのすでに廃棄されている遊技機に用いられているキャップ１４０〜１４７を用いても、このキャップ１４０〜１４７からは、正規のキャップ１４０〜１４７が含有する磁気共鳴物質が示す磁気共鳴現象が得られず、基板ボックス５０の開封を的確に検知することができる。
【００５５】
なお、上述したキャップ１４０〜１４７が含有する磁気共鳴物質の種類は、特に限定されるものではなく、無線周波数を有する電磁波を照射した場合に、たとえば、磁気共鳴（ＮＭＲ）、電子四重極共鳴（ＮＱＲ）、電子スピン共鳴（ＥＳＲ）、強磁性共鳴（ＦＲ）、フェリ磁性共鳴（ＦＥＲ）、反フェリ磁性共鳴（ＡＦＥＲ）、磁区壁共鳴（ＤＷＲ）、スピン波共鳴（ＳＷＲ）を示す物質などを用いることができる。
【００５６】
もっとも、キャップ１４０〜１４７が含有する磁気共鳴物質としては、特に、零磁場（０．５ｍＴ以下の磁場）または非常に弱い磁場において特定の周波数を有する電磁波を照射した場合に磁気共鳴現象を示す物質、たとえば、（１）零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体、（２）零磁場（０．５ｍＴ以下の磁場）において核四極子共鳴現象を示す物質、（３）非常に弱い磁場において電子スピン共鳴現象を示す物質、（４）零磁場（０．５ｍＴ以下の磁場）において電気／磁気双極子またはスタークーゼーマンサブレベル間のトンネル遷移に起因する共鳴現象を示す物質を用いることが好ましい。
【００５７】
このように、零磁場（０．５ｍＴ以下の磁場）または非常に弱い磁場において特定の周波数を有する電磁波を照射した場合に磁気共鳴現象を示す物質によれば、磁気共鳴現象を検知するに際して磁気共鳴物質に外部磁界をかける必要がないため、電磁波照射検出器に外部磁界を発生させる磁石やコイルなどを設ける必要がなく、電磁波照射検出器を小型化することができる。これにより、非常に多くの部品が入り組んで配置されたパチンコ機１においても、キャップ１４０〜１４７に電磁波を的確に照射でき、また、キャップ１４０〜１４７からの磁気共鳴現象を的確に検出できる。
【００５８】
零磁場（０．５ｍＴ以下の磁場）または非常に弱い磁場において特定の周波数を有する電磁波を照射した場合に磁気共鳴現象を示す物質としては、上述したように、（１）零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体、（２）零磁場（０．５ｍＴ以下の磁場）において核四極子共鳴現象を示す物質、（３）非常に弱い磁場において電子スピン共鳴現象を示す物質、（４）零磁場（０．５ｍＴ以下の磁場）において電気／磁気双極子またはスタークーゼーマンサブレベル間のトンネル遷移に起因する共鳴現象を示す物質が、一例として挙げられる。これらの物質について具体的な物質名を挙げると以下のようになる。
【００５９】
（１）  零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体としては、たとえば、磁気的に配向した金属、合金、配位化合物または有機化合物に含まれる５５Ｍｎ、５７Ｆｅ、５９Ｃｏなどがある。
【００６０】
（２）  零磁場（０．５ｍＴ以下の磁場）において核四極子共鳴現象を示す物質としては、１１Ｂ、３５Ｃ１、７５Ａｓ、７９Ｂｒ、８１Ｂｒ、１２７Ｉなどがある。
【００６１】
（３）  非常に弱い磁場において電子スピン共鳴現象を示す物質としては、イオンラジカル塩、リチウムフタロシアニンまたはガンマ線照射融解石英などがある。
【００６２】
（４）  零磁場（０．５ｍＴ以下の磁場）において電気／磁気双極子またはスタークーゼーマンサブレベル間のトンネル遷移に起因する共鳴現象を示す物質としては、混合原子価またはヤーン−テラー結晶を持つラージクラスの配位化合物などがある。
【００６３】
なお、本実施の形態では、締結具として、ワンウェイネジ１２０〜１２７を用いたが、これに限らず、締結具は、たとえば、ねじ込み方向および反ねじ込み方向に回転することができるビスや、ねじ込み後に頭部が胴部から分離されるシャービスなどのほか、鋲、ピン、タッピングねじなど、ボックス本体５１とカバー体５２とを締結できるものであれば何でもよい。
【００６４】
また、本実施の形態では、蓋体として、キャップ１４０〜１４７を用いたが、これに限らず、たとえば、第１の封止部５２ａが有する孔５５ａに嵌入される円柱体などを用いてもよい。
【００６５】
今回開示された実施の形態はすべての点で例示であって制限的なものではないと考えられるべきである。本発明の範囲は上述した説明ではなくて特許請求の範囲によって示され、特許請求の範囲と均等の意味及び範囲内でのすべての変更が含まれることが意図される。
【００６６】
以下、本発明の変形例について説明する。
【００６７】
（１）  本実施の形態では、キャップ１４０〜１４７に磁気共鳴物質の粉末を含有させたが、これに限らず、キャップ１４０〜１４７と第１の封止部５２ａ、５２ｂが有する孔５５ａ〜５５ｈとをそれぞれ固着剤１３０によって固着し、この固着剤１３０に、磁気共鳴物質の粉末を含有させてもよい（図８参照）。基板ボックス５０を開封してＲＯＭを交換するためには、たとえば、キャップ１４０を第１の封止部５２ａが有する孔５５ａから取り外さなければならないが、この取り外しに際しては、キャップ１４０に、破壊の痕または傷などの目視で確認できる痕跡が残らない場合がある。この場合、再封止された基板ボックス５０に、取り外したキャップ１４０が用いられると、再封止された基板ボックス５０から磁気共鳴現象が検出されてしまい、基板ボックス５０の不正な開封を検知できない。
しかしながら、キャップ１４０〜１４７と第１の封止部５２ａが有する孔５５ａとをそれぞれ固着剤１３０によって固着し、この固着剤１３０に、磁気共鳴物質の粉末を含有させることとすれば、キャップ１４０を取り外す際に固着剤１３０がキャップ１４０から剥れてしまうので、取り外したキャップ１４０が基板ボックス５０に用いられても、この固着剤１３０に含有される磁気共鳴物質の粉末が、再封止された基板ボックス５０に存在するということはない。
また、剥がれた固着剤１３０は、すでに硬化しているため、これを用いて、キャップ１４０を第１の封止部５２ａが有する孔５５ａに再度固着することはできない。このため、キャップ１４０と第１の封止部５２ａが有する孔５５ａとを再度固着するためには、新たな固着剤を使用せざるを得ないが、この新しい固着剤には、磁気共鳴物質の粉末が含有されていない。
したがって、このようにしても、本実施の形態と同様に、磁気共鳴物質の粉末が存在しないという目視では確認できない痕跡が基板ボックス５０に残り、磁気共鳴現象を利用して、基板ボックス５０の不正な開封を検知することができる。
【００６８】
（２）  なお、キャップ１４０〜１４７と第１の封止部５２ａ、５２ｂが有する孔５５ａ〜５５ｈとをそれぞれ固着剤１３０によって固着し、この固着剤１３０に、磁気共鳴物質の粉末を含有させた場合（図８参照）と同様に、ワンウェイネジ１２０〜１２７などの締結具と第１の封止部５２ａ、５２ｂが有する孔５５ａ〜５５ｈとをそれぞれ固着剤１５０によって固着し、この固着剤１５０に、磁気共鳴物質の粉末を含有させてもよい（図９参照）。
【００６９】
（３）  本実施の形態では、ボックス本体５１の端部に設けられた第２の封止部５１ａ、５１ｂが、第２の封止部５１ａ、５１ｂを貫通する貫通孔５６ａ〜５６ｈを有する場合について説明したが、これに限らず、第２の封止部５１ａ、５１ｂは、広く、第１の封止部５２ａ、５２ｂが有する貫通孔５５ａ〜５５ｈに連なる「穴」を有していれば足りる。この「穴」には、第２の封止部５１ａ、５１ｂをそれぞれ貫通するもののほか、第２の封止部５１ａ、５１ｂをそれぞれ貫通しないものも含まれる。
【００７０】
（４）  本実施の形態では、第１の封止部５２ａ、５２ｂがカバー体５２の端部に設けられ、第２の封止部５１ａ、５１ｂがボックス本体５１の端部に設けられる場合について説明したが、これに限らず、第１の封止部５２ａ、５２ｂをボックス本体５１の端部に設け、第２の封止部５１ａ、５１ｂをカバー体５２の端部に設けてもよい。
【００７１】
（５）  本実施形態では、パチンコ機を例に挙げて説明をしたが、これに限らず、スロットマシン、アレンジボール機、雀球機などの遊技機に適用してもよい。
【図面の簡単な説明】
【００７２】
【図１】本発明の一実施形態におけるパチンコ機の正面図である。
【図２】本発明の一実施形態におけるパチンコ機の本体枠および前面枠を開放した状態を示す斜視図である。
【図３】本発明の一実施形態におけるパチンコ機の背面図である。
【図４】本発明の一実施形態における基板ボックスの斜視図である。
【図５】本発明の一実施形態における基板ボックスの分解斜視図である。
【図６】図４におけるＡ−Ａの締結前の断面図である。
【図７】図４におけるＡ−Ａの締結後の断面図である。
【図８】図４におけるＡ−Ａの締結後の断面図（固着剤を用いた場合）である。
【図９】図４におけるＡ−Ａの締結後の断面図（ワンウェイネジと孔とを磁気共鳴物質の粉末を含有する固着剤によって固着した場合）である。
【符号の説明】
【００７３】
１  パチンコ機
２  外枠
３  本体枠
４  遊技盤
５  前面枠
６  下受板
７  ヒンジ機構
８  前枠体
９  遊技盤装着部
１０  機構装着枠
１１  案内レール
１２  遊技領域
１３  装着板
１４  下部スピーカ
１５  発射レール
１６  下前面部材
１７  下皿
１８  操作ハンドル
１９  施錠装置
２０  閉止具
２１  本体枠施錠フック
２２  閉止具
２３  扉施錠フック
２４  シリンダー錠
２５  ヒンジ機構
２６  扉本体フレーム
２７  枠ランプ
２８  上皿
２９  上部スピーカ
３０  開口窓
３１  窓枠
３２  透明板
３３  球タンク
３４  払出装置
３５  タンクレール
３６  保護カバー
３７  発射装置
４０  役物装置
４１  図柄表示装置
４２  電動始動入賞口
４３  大入賞口装置
４４  アウト口
５０  主制御基板ボックス
５１  ボックス本体
５１ａ  第２の封止部
５１ｂ  第２の封止部
５２  カバー体
５２ａ  第１の封止部
５２ｂ  第１の封止部
５３ａ  貫通孔
５３ｂ  貫通孔
５３ｃ  貫通孔
５３ｄ  貫通孔
５３ｅ  貫通孔
５３ｆ  貫通孔
５３ｇ  貫通孔
５３ｈ  貫通孔
５４ａ  三角形状の突起
５４ｂ  三角形状の突起
５４ｃ  三角形状の突起
５４ｄ  三角形状の突起
５４ｅ  三角形状の突起
５４ｆ  三角形状の突起
５５ａ  孔
５５ｂ  孔
５５ｃ  孔
５５ｄ  孔
５５ｅ  孔
５５ｆ  孔
５５ｇ  孔
５５ｈ  孔
５６ａ  孔
５６ｂ  孔
５６ｃ  孔
５６ｄ  孔
５６ｅ  孔
５６ｆ  孔
５６ｇ  孔
５６ｈ  孔
５７  係止溝
５８  底面
６０  払出制御基板ボックス
７０  回路基板
１１０  カシメ部材
１１０ａ  筒部
１１０ｂ  フランジ部
１１０ｃ  スリット
１１１  カシメ部材
１１２  カシメ部材
１１３  カシメ部材
１１４  カシメ部材
１１５  カシメ部材
１１６  カシメ部材
１１７  カシメ部材
１２０  ワンウェイネジ
１２１  ワンウェイネジ
１２２  ワンウェイネジ
１２３  ワンウェイネジ
１２４  ワンウェイネジ
１２５  ワンウェイネジ
１２６  ワンウェイネジ
１２７  ワンウェイネジ
１３０  固着剤
１４０  キャップ
１４０ａ  本体部分
１４０ｂ  一対の係止爪
１４１  キャップ
１４２  キャップ
１４３  キャップ
１４４  キャップ
１４５  キャップ
１４６  キャップ
１４７  キャップ
１５０  固着剤
Ｈ  孔５５ａの内径
Ｄ  一対の係止爪における一方の先端と他方の先端との間隔
ＣＬ１  切断線
ＣＬ２  切断線
ＣＬ３  切断線
ＣＬ４  切断線
【図１】
2008110006.tif 000003
【図２】
2008110006.tif 000004
【図３】
2008110006.tif 000005
【図４】
2008110006.tif 000006
【図５】
2008110006.tif 000007
【図６】
2008110006.tif 000008
【図７】
2008110006.tif 000009
【図８】
2008110006.tif 000010
【図９】
2008110006.tif 000011